(57)【要約】【課題】フィルム受け部材の取り付け作業の煩雑さを解消する。【解決手段】谷樋ＴＴは、上開口を有する断面Ｕ字状に形成されると共に、本体部には、側壁の少なくとも一部を構成する垂直部５３と、垂直部から内側に向かって伸びる水平部５７と、水平部の先端に外向きに開口するフィルム受け部５８と、が左右対称となる様に一体に備えられている。水平部５７には上下方向に貫通する水抜き孔５９が形成されている。左右対称のフィルム受け部は、互いに上部が離れる様に上開き傾斜となる関係に構成されている。本体部には、水平な底面部５１を備え、底面部と距離をあけた内底部５５が側壁内面に一体に備えられ、内底部と底面部との間を連結する垂直部５６によって複数のボックス状空間を有する底部構造を備えている。【選択図】  図５
2020137436.tif 000002
【特許請求の範囲】
【請求項１】
上開口を有する断面Ｕ字状に形成されると共に、さらに、以下の構成をも備えることを特徴とする農業ハウス用谷樋。
（１）前記断面Ｕ字状の本体部には、側壁の少なくとも一部を構成する垂直部と、該垂直部から内側に向かって伸びる水平部と、該水平部の先端に外向きに開口するフィルム受け部と、が左右対称となる様に一体に備えられていること。
【請求項２】
さらに、以下の構成をも備えることを特徴とする請求項１に記載の農業ハウス用谷樋。
（２）前記水平部には上下方向に貫通する水抜き孔が形成されていること。
【請求項３】
さらに、以下の構成をも備えることを特徴とする請求項１又は２に記載の農業ハウス用谷樋。
（３）前記左右対称のフィルム受け部は、互いに上部が離れる様に上開き傾斜となる関係に構成されていること。
【請求項４】
さらに、以下の構成をも備えることを特徴とする請求項１〜３のいずれかに記載の農業ハウス用谷樋。
（４）前記本体部には、水平な底面部を備え、該底面部と距離をあけた内底部が側壁内面に一体に備えられ、該内底部と前記底面部との間を連結する垂直部によって複数のボックス状空間を有する底部構造を備えていること。
【発明の詳細な説明】
【技術分野】
【０００１】
本発明は、農業ハウス用谷樋に関するものである。
【背景技術】
【０００２】
従来、農業ハウス用の谷樋は、断面略Ｕ字状を呈し、アーチパイプの傾斜角と同一となるように折曲げ加工されたものが用いられている（特許文献１）。
【０００３】
特許文献１によれば、谷樋に対してアーチパイプを固定する際、アーチパイプ上面に取り付けたフィルム受け部材と直交するフィルム受け部材をも谷樋に固定している。
【先行技術文献】
【特許文献】
【０００４】
【特許文献１】特開２００２−２９１３４８号公報（図７）
【発明の概要】
【発明が解決しようとする課題】
【０００５】
このため、従来は、フィルム受け部材の取り付け作業が煩雑であった。
【０００６】
そこで、本発明は、農業ハウスにおいて、フィルム受け部材の取り付け作業の煩雑さを解消することを目的とする。
【課題を解決するための手段】
【０００７】
上記目的を達成するためになされた本発明の農業ハウス用谷樋は、上開口を有する断面Ｕ字状に形成されると共に、さらに、以下の構成をも備えることを特徴とする。
（１）前記断面Ｕ字状の本体部には、側壁の少なくとも一部を構成する垂直部と、該垂直部から内側に向かって伸びる水平部と、該水平部の先端に外向きに開口するフィルム受け部と、が左右対称となる様に一体に備えられていること。
【０００８】
本発明の農業ハウス用谷樋によれば、屋根面を構成するフィルムは、その下端を谷樋の屋根側端部を越えて挿入し、谷樋が一体に備えるフィルム受け部に固定すればよい。また、ハウス側壁を構成するフィルムは、その上端を谷樋の外側端部を乗り越えて内側まで入り込ませ、谷樋が一体に備えるフィルム受け部に固定すればよい。谷樋は左右対称となる様にフィルム受け部を備えているから、谷樋の開口を塞ぐことなく左右の屋根のフィルムも軒側側壁のフィルムも固定することができる。この結果、フィルム受け部材取り付け作業の煩雑さを改善することができる。
【０００９】
ここで本発明の農業ハウス用谷樋は、さらに、以下の構成をも備えることができる。
（２）前記水平部には上下方向に貫通する水抜き孔が形成されていること。
【００１０】
本発明の農業用ハウス谷樋は、フィルム受け部材取り付け作業の煩雑さを改善する反面、フィルム受け部と垂直部との間に水が溜まる部分が生じてしまうが、上記構成をも備えることにより、「水平部に雨水が溜まる」という新たな問題をも解決することができる。
【００１１】
これら本発明の農業用ハウス谷樋は、さらに、以下の構成をも備えることができる。
（３）前記左右対称のフィルム受け部は、互いに上部が離れる様に上開き傾斜となる関係に構成されていること。
【００１２】
かかる構成をも備えることにより、フィルムの装着作業が容易になると共に、水平部及びフィルム受け部の裏側にビス先端を隠す様に飛び出させることができるから、点検作業も容易にすることができる。
【００１３】
これら本発明の農業用ハウス谷樋は、さらに、以下の構成をも備えることができる。
（４）前記本体部には、水平な底面部を備え、該底面部と距離をあけた内底部が側壁内面に一体に備えられ、該内底部と前記底面部との間を連結する垂直部によって複数のボックス状空間を有する底部構造を備えていること。
【００１４】
かかる構成をも備えることにより、水平な底面部により支柱の頂面に対して谷樋を直接取り付けることが可能になると共に、複数のボックス状空間を有する底部構造による強度アップが図られ、谷樋に軒桁部材としての役割を果たさせることもできる。これにより、農業用ハウスにおける長手方向の構造強度メンバーの構成を簡素化することができる。
【発明の効果】
【００１５】
本発明によれば、農業用ハウスにおいて、フィルム受け部材の取り付け作業の煩雑さを解消することができる。
【図面の簡単な説明】
【００１６】
【図１】実施例１の農業用ハウスの全体構成を示し、平面図、５通り背面図、３通り正面図、２通り正面図、１通り正面図、Ａ通り右側面図、Ｃ通り左側面図、Ｄ通り左側面図である。
【図２】実施例１の農業用ハウスの要部を示し、（Ａ）は４通り断面図、（Ｂ）は天窓取付部を西下方から見た斜視図、（Ｃ）は天窓取付部を（Ｂ）と同じ部分を東下方から見た斜視図である。
【図３】実施例１の農業用ハウスの天窓取付部を示し、（Ａ）は天窓を閉じた状態の断面図、（Ｂ）は天窓を最大開度に開いた状態の断面図である。
【図４】実施例１の農業用ハウスの天窓とその支持部を示し、（Ａ）は断面図、（Ｂ）は平面図である。
【図５】実施例１の農業用ハウスにおける谷樋を示し、（Ａ）は斜視図、（Ｂ）は断面図、（Ｃ）は要部の拡大断面図である。
【図６】実施例１の農業用ハウスの施工例を示し、（Ａ）は天窓部分を下方から見た斜視図、（Ｂ）は谷樋部分を妻側から見た斜視図である。
【図７】実施例２の農業用ハウスの天窓取付部を示し、（Ａ）は合掌梁接合金具の斜視図、（Ｂ）は合掌梁接合金具、合掌梁、及び天窓の取り付け関係を示す正面図である。
【発明を実施するための形態】
【００１７】
以下、本発明を実施するための形態を、図面に示す具体的な実施例に基づいて説明する。
【実施例１】
【００１８】
［農業用ハウスの概要］
実施例１の農業用ハウス１は、図１に示す様に、時計回りにＡ１−Ｂ１−Ｂ５−Ａ５−Ａ１にて区画される東棟２と、Ｂ１−Ｃ１−Ｃ５−Ｂ５−Ｂ１にて区画される中央棟３と、Ｃ２−Ｄ２−Ｄ５−Ｃ５−Ｃ２にて区画される西棟４とからなる三連棟型のビニールハウスである。東棟２は西側片天の天窓５ａを備え、中央棟３は両天の天窓５ｂ，５ｃ，５ｄ，５ｅを備え、西棟４は東側片天の天窓５ｆを備えている。なお、西棟４には、２通りＣ−Ｄ間にシャッター６、３通りＣ−Ｄ間に引き戸７、５通りＣ−Ｄ間に引き戸８、Ｄ通り２−３間に引き戸９が備えられている。
【００１９】
［天窓の概要]
本実施例においては、各天窓５ａ〜５ｆの幅はいずれも１５００ｍｍを採用している。長さについては、東棟３の天窓５ａは１８０００ｍｍ、中央棟３の天窓５ｂ，５ｃは９０００ｍｍ、中央棟３の天窓５ｄ，５ｅは４５００ｍｍ、西棟４の天窓５ｆは９０００ｍｍとしている。また、各棟２〜４の幅はそれぞれ８０００ｍｍ、長さは東棟２及び中央棟３を１８０００ｍｍ、西棟４を１３５００ｍｍとしている。構造体としてのメイン支柱ＭＰの間隔は、東西８０００ｍｍ、南北４５００ｍｍとしている。また、メイン支柱ＭＰの上端には、後述する谷樋ＴＴが軒桁を兼ねる構造部材として取り付けられている。
【００２０】
本実施例の農業用ハウス１は、図１，２に示す様に、複数対の合掌梁２１，２１によって屋根構造を構成している。各対の合掌梁２１，２１は、それぞれ上端に突き合わせ板２２，２２が溶接固定されている。合掌梁２１，２１は、それぞれの下端をメイン支柱ＭＰの上端部に取り付けると共に、突き合わせ板２２，２２同士をボルト締めにより固定することにより、合掌屋根を構成している。
【００２１】
図２（Ａ）に示す様に、片天の西棟４においては、谷樋ＴＴから突合板２２，２２の上端まで達する長いアーチパイプＡＰＬにフィルムを張って西の屋根面を構成し、谷樋ＴＴから天窓受け部材２５まで達する短いアーチパイプＡＰＳにフィルムを張って東の屋根面を構成している。これに対し、両天の中央棟３においては、谷樋ＴＴから天窓受け２５まで達する短いアーチパイプＡＰＳ，ＡＰＳにフィルムを張って東西の屋根面を構成している。
【００２２】
突き合わせ板２２，２２は、合掌梁２１，２１の上下左右に飛び出す面積を有し、上端部には、それぞれ天窓支持用の平板状のブラケット部材２３，２３が外に向かって突設する様に溶接固定されている。また、突き合わせ板２２，２２の下端部には、アングル材を介して上スペースの中央ピラーＵＣＰが垂直に固定されている。この中央ピラーＵＣＰの下端は、各メイン支柱ＭＰ，ＭＰ間に東西方向に渡された下方梁部材ＵＢ１に接合されている。また、中央ピラーＵＣＰの中程やや上側の位置にも合掌梁２１，２１間に東西方向に渡された上方梁部材ＵＢ２も固定されている。この上スペースには、遮光カーテンＣＴＮが設置され、下方梁部材ＵＢ１のメイン支柱ＭＰ近傍にカーテン巻き取り装置が設置されている。なお、突き合わせ板の西側面には上部中央桁部材ＵＣＧもボルト固定されている。
【００２３】
突き合わせ板２２，２２から外に向かって突設されたブラケット部材２３，２３には、図２（Ｂ），（Ｃ），図３に示す様に、上側から外嵌めする様に下向きコの字状の外嵌部材３１，３１がボルト軸を支点として回動可能となる様に取り付けられている。このボルト軸は、複数対の合掌梁２１，２１のそれぞれにおいて、水平方向の同一軸線上に位置する様に差し通されている。
【００２４】
ブラケット部材２３，２３に上方から外嵌めされる外嵌部材３１，３１の上面には、上向きコ字状の天窓受け部材３２，３２が溶接固定されている。そして、この天窓受け部材３２，３２に対して、天窓の回動支点側の上桟３３，３３が上方から嵌め込まれると共にボルト締めにて固定されている。
【００２５】
天窓５ａ〜５ｆは、図４（Ｂ）に示す様に、上桟３３と先端側の下桟３５とを合掌梁の位置ごとに接合する軒方向の横桟３４，３４，…（４５００ｍｍピッチ）とによって梯子状に組み付けられた外枠を備えている。なお、図示は省略したが、横桟３４，３４，…の中間位置（２２５０ｍｍピッチ）に、垂木材を組み付けている。そして、図３（Ａ），（Ｂ）に示す様に、桟部材３３〜３５の上面にはフィルム受けレールＣＵＰが、開口部を上向きにして取り付けられている。図示は省略したが、２２５０ｍｍピッチで取り付けた垂木材の上面にもフィルム受けレールＣＵＰが開口部を上向きにして取り付けられている。これらフィルム受けレールＣＵＰにより、天窓の上面側にフィルムＦＬＭを張り渡すことができる。
【００２６】
また、図４（Ｂ）に示す様に、合掌梁２１の上面にも天窓受け部材２６が取り付けられている。これにより、天窓は、各桟３３〜３５が天窓受け部材２５，２６によって下面を受けられた状態で閉じられる。
【００２７】
［谷樋の概要］
次ぎに、本実施例の農業用ハウス１において採用した谷樋ＴＴについて説明する。谷樋ＴＴは、アルミ合金製一体成形品で構成され、図５（Ａ）〜（Ｃ）に示す様に、底面部５１と、この底面部５１の両端から斜め約４５度方向に開く様に伸びる下方傾斜部５２，５２と、下方傾斜部５２，５２の上端から垂直上方に伸びる垂直部５３，５３と、垂直部５３，５３の上端から斜め約４５度方向に開く様に伸びる上端傾斜部５４，５４と、下方傾斜部５２，５２の内側を連結する内底部５５と、内底部５５と底面部５１とを連結する中央垂直部５６と、左右の垂直部５３，５３の内面側から水平に伸びる水平部５７，５７と、水平部５７，５７の先端に外向きに開口する様に形成さたフィルム受け部５８，５８とからなる左右対称の断面形状を有し、長さ方向にはメイン支柱ＭＰ，ＭＰ間に掛け渡すことのできる全長（４５００ｍｍ）を有している。なお、底面部５１の幅は、メイン支柱ＭＰの頂面の幅と同一にしている。
【００２８】
上端傾斜部５４，５４には、アーチパイプＡＰＳ，ＡＰＬの下端をボルト締めにて固定するためのボルト挿通孔が長さ方向所定位置に貫通されている。また、下方傾斜部５２，５２の長手方向両端部には、合掌梁２１，２１の取り付けに際してボルト等を挿通させるための合掌取り付け孔群７１，７１も形成されている。さらに、水平部５７，５７の長さ方向両端付近と長さ方向中央付近には、図５（Ｃ）に示す様に、水抜き孔５９が貫通されている。
【００２９】
フィルムＦＬＭは、図５（Ｃ）に示す様に、フィルム受け部５８に対して、外側から押し込んだ上で固定スプリングＳＰＲにて固定する。また、このフィルム受け部５８にはさらに外側からカバー部材ＣＡＰを嵌め込み、ビスＢＩＳでネジ止め固定される。このとき、ビスＢＩＳの先端はフィルム受け部５８の裏側に飛び出すが、当該部分は水平部５７及びフィルム受け部５８の裏側の目隠し空間６０となっている。
【００３０】
谷樋ＴＴの底部は、底面部５１、下方傾斜部５２，５２、内底部５５及び中央垂直部５６により、二つのボックス状空間とされている。このボックス状空間を備えることにより、谷樋ＴＴの曲げ強度が高められ、合掌梁とも接合されることにより、軒桁部材としての役割も果たさせている。
【００３１】
谷樋ＴＴは、フィルム受け部５８，５８を水平部５７，５７を介して垂直部５３，５３の内面に一体に備えているから、フィルム受けレールの取り付け等の作業が不要となる。水平部５７，５７を介して垂直部５３，５３とフィルム受け部５８，５８を一体の構造としたことは、谷樋ＴＴの強度向上にも寄与している。そして、水平部５７，５７に設けた水抜き孔５９が、「利便性向上や強度向上のために備えた水平部５７，５７に雨水が溜まる」という新たな問題に対する解決手段として効果を発揮する。
【００３２】
［実施例の作用・効果］
次ぎに、実施例の作用・効果を説明する。
【００３３】
（１）天窓の大型化
本実施例では、天窓５ａ〜５ｆの回動支点側を、合掌梁２１の上端接合部に備えさせた突き合わせ部材２２の上部から外側に向かって突設するブラケット部材２３で構成すると共に、天窓の桟３３〜３５を合掌梁２１に取り付けた天窓受け部材２５，２６で受け止める様に構成したから、天窓を大型化することが可能となった。
【００３４】
この結果、図６（Ａ）に示す様に、出願人の実験用圃場（立ち入り制限により秘密管理下にある区域）において、桟部材３３〜３５として７５ｍｍ×４５ｍｍ、板厚１．６ｍｍの鋼製角パイプを長い方の辺を横倒しにした形態で組み立てたものを用いることが可能となり、最も大きい天窓は、幅１５００ｍｍ、長さ１８０００ｍｍとすることが可能となった。なお、この例では、天窓受け部材２５，２６として、桟部材と同じく、７５ｍｍ×４５ｍｍ、板厚１．６ｍｍの鋼製角パイプを長い方の辺を横倒しにして取り付けている。
【００３５】
これにより、屋根上での作業の際に、天窓の桟部材の上に作業者が乗って作業をすることも可能となった。また、図６（Ａ）から分かる様に、天窓下の開口部にはアーチパイプが存在せず、採光性が大幅に向上している。なお、図６（Ａ）において符号ＮＥＴは、天窓の下桟３５及び両端の横桟３４と天窓受け部材２５，２６との間に装着した防虫ネットである。図６（Ａ）からは、この防虫ネットＮＥＴの部分にアーチパイプが存在せず、採光性が向上していることが明らかである。また、ブラケット部材２３を回動支持部とすることで天窓を大きく開くことが可能となり、開口の大きさに加えて開度の大きさによる換気効率の向上が可能となる。
【００３６】
（２）フィルム受け一体型谷樋による作業性の向上
図６（Ｂ）は、出願人の実験用圃場（立ち入り制限により秘密管理下にある区域）において実施例の谷樋ＴＴに対してフィルムを張った状態を示している。フィルム受け部５８が谷樋両側の垂直部５３，５３に備わっているから、屋根側のフィルムＦＬＭに加えて側壁側のフィルムＦＬＭ２の上端の固定にも谷樋ＴＴ用いることができる。この結果、ハウスの側壁上端様のフィルム受けレールを別途取り付けるといった作業が不要となる。また、目隠し空間６０により、ビスＢＩＳの先端が露出しないから、安全性が高まり、点検作業等における作業性も向上する。
【００３７】
（３）谷樋水平部の水抜き孔
実施例では、フィルム受け一体型とするために備えさせた水平部５７に水抜き孔５９を設け、「水平部に雨水が溜まる」という新たな問題をも解決している。
【００３８】
（４）天窓受け部材と谷樋による部品点数節減効果
合掌梁２１及びメイン支柱ＭＰに対して、接合した天窓受け部材２５及び谷樋ＴＴが、天窓受けや谷樋としての機能に加えて、農業用ハウス１における長手方向の構造強度メンバーとしても機能する。この結果、ハウスの構造強度を発揮させるための構成を簡素化することが可能となり、ハウス全体の部品点数の節減が可能となった。
【実施例２】
【００３９】
実施例２の農業用ハウスにおいては、図７に示す様に、下向きコ字状断面を呈し、合掌梁２１，２１の接合部の屋根傾斜に対応するハの字状に組み合わされる合掌梁接合金具８１，８１同士の間に挟み込まれる様に板状部材８２を取り付け、この板状部材８２の表面に、コの字の開放側を外向きとする様に取り付けらた断面コ字状の金具によって屋根側接合金具８３，８３を構成している。また、天窓側については、平板状の窓側接合金具８５を上桟３３の下面に取り付けてある。なお、この窓側接合金具８５は、上桟の長さ方向に４５００ｍｍ間隔で溶接固定されている。
【００４０】
そして、合掌梁接合金具８１，８１に対して合掌梁２１，２１を差し込む様にして取り付け、合掌梁２１，２１と合掌梁接合金具８１，８１とをそれぞれ複数本のボルトで締結する。
【００４１】
こうして合掌梁同士の上端部の接合ができたら、屋根側接合金具８３に対して窓側接合金具８５をコの字の中に挿入する様に差し込み、各１本のボルトで抜け止め固定する。このとき、ハウスの長さ方向に対し、４５００ｍｍ間隔で設置される合掌梁の上端接合部において、屋根側接合金具８３に形成したボルト挿通孔８４は全て水平方向の同一軸線上に位置する様に心出しされている。この心出しは、合掌接合金具８１，８１と板状部材８２とを一体にしたものを用いて合掌梁２１，２１の上端部を接合することにより、容易に達成される。この結果、ハウスの長さ方向の複数箇所においてボルトで連結しているにもかかわらず、これらボルトが同一軸線上に位置した状態となる。
【００４２】
（５）実施例２に特有の効果
合掌梁の上端の接合や屋根側接合金具の軸合わせが容易になり、天窓の開き方向への回動角度をより大きくすることができる。
【００４３】
（６）各実施例における総合的な効果
これらの作用・効果から、農業用ハウスの建設コストを低減することが可能となる。
【００４４】
以上、本発明の実施例を説明したが、本発明は実施例に限られるものではなく、その要旨を逸脱しない範囲内においてさらに種々の形態を採用することができることはもちろんである。
【００４５】
例えば、谷樋は、アルミ合金以外の金属による成形品としたり、溶接によって一体構造としたものであってもよい。また、軒樋のみの使用とすることもできる。
【産業上の利用可能性】
【００４６】
農業用栽培設備に利用することができる。
【符号の説明】
【００４７】
１・・・農業用ハウス、２・・・東棟、３・・・中央棟、４・・・西棟、５ａ，５ｂ，５ｃ，５ｄ，５ｅ，５ｆ・・・天窓、６・・・シャッター、７，８，９・・・引き戸、
２１・・・合掌梁、２２・・・突き合わせ板、２３・・・ブラケット部材、２５，２６・・・天窓受け部材、３１・・・外嵌部材、３２・・・天窓受け部材、３３・・・上桟、３４・・・横桟、３５・・・下桟、５１・・・底面部、５２・・・下方傾斜部、５３・・・垂直部、５４・・・上端傾斜部、５５・・・内底部、５６・・・中央垂直部、５７・・・水平部、５８・・・フィルム受け部、５９・・・水抜き孔、６０・・・目隠し空間、７１・・・合掌取り付け孔群、８１・・・合掌梁接合金具、８２・・・板状部材、８３・・・屋根側接合金具、８４・・・ボルト挿通孔、８５・・・窓側接合金具、
ＡＰＬ・・・長いアーチパイプ、ＡＰＳ・・・短いアーチパイプ、ＢＩＳ・・・ビス、
ＣＡＰ・・・カバー部材、ＣＴＮ・・・遮光カーテン、ＣＵＰ・・・フィルム受けレール、ＦＬＭ，ＦＬＭ２・・・フィルム、ＭＰ・・・メイン支柱、ＮＥＴ・・・防虫ネット、ＳＰＲ・・・固定スプリング、ＴＴ・・・谷樋、ＵＢ１・・・下方梁部材、ＵＢ２・・・上方梁部材、ＵＣＧ・・・上部中央桁部材、ＵＣＰ・・・中央ピラー。
【図１】
2020137436.tif 000003
【図２】
2020137436.tif 000004
【図３】
2020137436.tif 000005
【図４】
2020137436.tif 000006
【図５】
2020137436.tif 000007
【図６】
2020137436.tif 000008
【図７】
2020137436.tif 000009